(57)【特許請求の範囲】
【請求項１】
液透過性表面シートと、液不透過性裏面シートと、これら両シートの間に配置された吸収体とを有する矩形の男性用尿パッドにおいて、前記吸収体には上辺側の幅方向中央部に、その上辺から中央部方向にかけて矩形状の一部くりぬき部が形成されており、尿パッドの上辺側の幅方向中央部には、尿パッドの外縁から前記吸収体における矩形状の一部くりぬき部内に向かって途中から二股に分岐して延びている全体形状が逆Ｙ字形の線状の切り込み部が形成されており、尿パッドの相対する両側縁の少なくとも１辺側の液不透過性裏面シート面には尿パッド組み立て用止着部が配備されていることを特徴とする男性用尿パッド。
【請求項２】
前記液不透過性裏面シートに不織布或いは織布が貼合されていることを特徴とする請求項１記載の男性用尿パッド。
【請求項３】
前記液不透過性裏面シート表面に貼合されている不織布或いは織布の表面に、尿パッド組み立て用止着部が配備されていることを特徴とする請求項２記載の男性用尿パッド。
【発明の詳細な説明】
【０００１】
【発明の属する技術分野】
本発明は、おむつと併用または下着を介して装着される男性用尿パッドに関するものである。
【０００２】
【従来の技術】
従来、男性器を包んで使用するタイプの男性用尿パッドについては、様々なものが提案されてきた。例えば、尿パッドのサイドフラップに細帯状の尿パッド組み立て用の固着部を該尿パッド長手方向に沿って配置した提案（特開平８−２８０７２７号公報、特開平９―１７３３７０号公報、）矩型の尿パッドを長手方向中央部で２つ折りに折り曲げて、互いに当接するサイドフラップ同士を固着させて袋状に形成している提案（特開平９−１９４５２号公報）、尿パッドに円孔、或いはU字型の切り欠き部分を配置した提案（特開平１０−２３４７６４号公報、特開平１０―２３４７６５号公報）がされている。
【０００３】
【発明が解決しようとする課題】
しかしながら、尿パッドのサイドフラップに細帯状の尿パッド組み立て用の固着部を尿パッド長手方向に沿って配置した提案（特開平８−２８０７２７号公報、特開平９―１７３３７０号公報、）では、前記矩型の尿パッドを、該尿パッド組み立て用固着部にて先の尖ったホッパー状に形成し、前記ホッパー状に形成された尿パッド底部の広く開口している側より男性器を挿入して着用するが、前記のように形成された尿パッドにおいては、男性器を挿入する部分が、ホッパー状に広く開口した形状なので、安定して男性器を尿パッド内に維持することが難しく、着用者が身体の向きを変える等により、容易に尿パッドが男性器から脱落するという問題点がある。
【０００４】
また、尿パッドの男性器からの脱落を防ぐために、該尿パッドの裏面側に粘着部材を配置し、下着或いは紙おむつ等に固定させるものもあるが、粘着部の粘着力が不十分であったり、着用中に身体の向きを変える等により、該尿パッドは男性器から容易に脱落し、あまり効果が無い。
【０００５】
また、矩型の尿パッドを長手方向中央部で２つ折りに折り曲げて、互いに当接するサイドフラップ同士を固着させて袋状に形成している提案（特開平９−１９４５２号公報）でも、尿パッドの裏面側に配置された粘着部だけでは、着用の間、該尿パッドを下着或いは紙おむつ等に固定し続けることは難しい。さらに、男性器を挿入する部分の開口が大きいために、安定して男性器を尿パッド内に維持することが難しく、着用者が身体の向きを変える等により、容易に尿パッドが男性器から脱落するという問題がある。
【０００６】
また、尿パッドに円孔を配置した提案（特開平１０−２３４７６４号公報，特開平１０―２３４７６５号公報）では、尿パッドを貫通するように配置された円孔に男性器を挿入した後、該尿パッドを長手方向に２つ折りし、両側縁部に配置された粘着部で固定することによって前記の２つ折り状態を維持させるので、尿パッドが男性器から脱落することは少ない。しかしながら、男性器に対して円孔が大きい場合には、男性器との間にすきまが生じるために漏れが発生する可能性があり、また、男性器に対して円孔が小さい場合には円孔に男性器を通しにくいために装着しにくかったり、装着困難となる問題点がある。
【０００７】
また、円孔の代わりに、尿パッドにＵ字型切り欠き部位を配置した提案もあるが、円孔の場合と同様、男性器の大きさによっては尿パッドと男性器の間にすきまが生じたり、男性器を通しにくく装着しにくい問題点がある。
【０００８】
また、前記Ｕ字型切り欠き部位を配置した尿パッドにおいては、該Ｕ字型切り欠き部位近傍に止着域を形成し、該Ｕ字型切り欠き部位の両側部分を連結することにより、男性器と尿パッドのすきまを少なくする提案もあるが、装着に手間を要することになり、さらには、該止着部の配置のためにコストが増大するという問題点がある。
【０００９】
また、一般的に男性用尿パッドの裏面シートには液不透過性フィルムが用いられるが、この場合該尿パッドを装着すると裏面シートのフィルムが陰嚢部に直接接触するために、肌の弱くなった高齢者等の着用者が長時間着用するとスキントラブルを起こしやすいという問題点がある。
【００１０】
本発明の目的は、上記の問題点を解決し、装着が容易でしかも尿が漏れにくく、また、陰嚢にスキントラブルを起こしにくい男性用尿パッドを提供することにある。
【００１１】
【課題を解決するための手段】
（１）本発明は、液透過性表面シートと、液不透過性裏面シートと、これら両シートの間に配置された吸収体とを有する矩形の男性用尿パッドにおいて、前記吸収体には上辺側の幅方向中央部に、その上辺から中央部方向にかけて矩形状の一部くりぬき部が形成されており、尿パッドの上辺側の幅方向中央部には、尿パッドの外縁から前記吸収体における矩形状の一部くりぬき部内に向かって途中から二股に分岐して延びている全体形状が逆Ｙ字形の線状の切り込み部が形成されており、尿パッドの相対する両側縁の少なくとも１辺側の液不透過性裏面シート面には尿パッド組み立て用止着部が配備されていることを特徴とする男性用尿パッドに存する。
【００１２】
（２）また、前記液不透過性裏面シートに不織布或いは織布が貼合されていることを特徴とする前記（１）に記載の男性用尿パッド。
【００１３】
（３）また、前記液不透過性裏面シート表面に貼合されている不織布或いは織布の表面に、尿パッド組み立て用止着部が配備されていることを特徴とする前記（２）に記載の男性用尿パッド。
【００１４】
【発明の実施の形態】
本発明の男性用尿パッドは、おむつと併用または下着を介して装着されるものであり、展開状態において略矩形の形状を成しており、該パッドの外縁における１辺(４辺の内の１辺)上の点を起点としてパッドの中央部に向かって切り込みが設けられ、さらに該切り込み部位は途中から二股に分岐して、全体としてＹ字形状の切り込み部位を形成している。また、このＹ字形状の切り込み部位は男性器導入部として用いるため、対向する辺の近傍までは達しないで、切り込み部位を形成した辺の近傍に設けられていることが好ましい。この様な構成を有する本発明の男性用尿パッドは、該尿パッドの切り込み部位に男性器を直接挟み込んで装着するので、尿パッドを男性器に確実に装着することが可能となり、男性器を安定して尿パッド内に維持することが可能となることから、着用中に身体の向きを変える等の動作を行っても、該尿パッドは男性器から容易に脱落することを防ぐことが可能となる。
【００１５】
尚、本発明におけるＹ字形状とは、３本の直線が１点で交わるような形状が基本形であるが、Ｙ字の上部がＶ字でなく、Ｕ字状または、凹形状のものも含むことを意味している。また、切り込み部位の起点を有する辺を上にして見た場合、前記のＹ字形状の表現は正確には逆Ｙ字形状であることは勿論のことである。
さらに、Ｙ字形状の切り込み部位に男性器をはさみ込むようにして導入すれば装着できるので、尿パッドの装着を非常に簡便に行うことが可能となる。
【００１６】
さらに、切り込み部位の形状がＹ字形状であることから、男性器の大きさに関わらず装着が可能となり、さらに、特別な止着部等を設けなくても、Ｙ字形状の切り込み部位に男性器をはさみ込むだけで男性器の大きさに関わらず尿パッドと男性器の間にすきまが生じにくい。また、Ｙ字形状の切り欠きによってできるＶ字型の吸収体部分が、装着の際に男性器の下側に配置されることになるために、男性器を伝って尿パッドから漏れが生じることを防ぐことができる。
【００１７】
また、本発明の男性用尿パッドは、裏面シート側に不織布或いは織布を貼合することにより、該尿パッド装着時に裏面シート側が陰嚢に長時間接触していても、スキントラブルを起こしにくくすることができる。
【００１８】
また、本発明の男性用尿パッドは、円孔或いはＵ字型等に部位を切り取らず、Ｙ字形状の切り込みを入れるだけなので、余分なトリム発生がないことから簡便に製造することが可能となる。
【００１９】
本発明の男性用尿パッドを構成する液透過性表面シート、吸収体及び液不透過性裏面シートについては、公知のものを特に制限無く用いることができるが、以下に、本発明において使用される材料について具体的に説明する。
【００２０】
本発明において使用される液透過性表面シートは、坪量が１０〜４０ｇ／ｍ2で、構成繊維の繊維径が４デニール以下の親水性繊維からなる、液透過性の不織布、織布等が用いられる。さらに、詳しくは、ポリプロピレン、ポリエチレン、ポリエステル、または、ポリエステル、ポリプロピレン、ポリエチレン等の２成分以上からなる複合繊維等でも良く、特には、低融点ポリエステル／ポリエステル、ポリエステル／ポリエチレン、ポリプロピレン／ポリエチレンの複合繊維が強度の面から好ましいが、特に制限をうけるものではない。
【００２１】
本発明において使用される吸収体は、綿状パルプと高吸水性材料である高吸収性ポリマーからなり、さらに全体を親水性シ−トによりくるまれていても良い。また、綿状パルプに対して３〜６０重量％の熱融着性物質を混合して熱圧着してもよい。前記吸収体の構成は特に制限されるものではないが、例えば、綿状パルプを主成分とする単独層でも良く、綿状パルプに高吸収性ポリマーを均一に混合した層状のものでも良く、或いは綿状パルプを主成分とする２つの層の間に高吸収性ポリマーからなる均一な層を挟み込んだ構成であっても良い。
綿状パルプとしては、化学パルプシートもしくは、機械パルプシートを粉砕機で解繊することにより得られる繊維長５ｍｍ以下のものである。パルプ原料としては、針葉樹に限らず、広葉樹、わら、竹およびケフナも適用される。このパルプの使用量は、目的とする吸収体により、例えば、単独で用いるか、複数積層して用いるか、他の吸収材を併用するかなどにより異なるが、一般的には、５０〜４００ｇ／ｍ2にされる。
【００２２】
高吸収性ポリマーとしては、デンプン系、セルロース系、合成ポリマー系のもの等が挙げられる。すなわち、デンプンーアクリル酸（塩）グラフト共重合体、デンプンーアクリル酸エチルグラフト共重合体のケン化物、デンプンーメタクル酸メチルグラフト共重合体のケン化物、デンプンーアクリロニトリルグラフト共重合体のケン化物、デンプンーアクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコールー無水マレイン酸反応物の架橋物などが使用できるが、この中で自重の２０倍以上の尿、体液及び水を吸収するもので、ポリアクリル酸ナトリウム系のものが吸収性能の点から最も適当である。高吸収性ポリマーの分布量は、綿状パルプの乾燥状態で全重量の１０〜５００％、好ましくは１５〜３００％であり、かかる量の高吸収性ポリマーが綿状パルプ中に実質的に均一に分布していると、高吸収性ポリマーが吸収し膨潤したとき、その粒子は相互の干渉が最小にとどめられ、連続的に接触して透過障壁を形成することが少なく、尿や体液を３次元方向に透過、吸収する。
【００２３】
また、熱融着性物質としては、綿状パルプと混合することを考えると繊維状のものが好ましい。熱融着性物質は、ポリプロピレン、ポリエチレン、ポリエステル、ポリビニリデン、アクリル樹脂、ナイロン樹脂等があげられる。または、ポリエステル、ポリプロピレン、ポリエチレン等の２成分以上からなる複合繊維等でも良く、特には、ポリエステル／ポリエステル、ポリエステル／ポリエチレン、ポリプロピレン／ポリエチレンの複合繊維が強度の面から好ましい。繊維径は１〜５デニール程度が好ましく、繊維長は３〜３０ｍｍのものが、綿状パルプと混合するのに好適であるが、特に制限をうけるものではない。これらを綿状パルプ層に混合し、一定以上の圧力で熱圧着することによって、熱融着性物質による骨格構造を形成し、湿潤時においても綿状パルプ層自体の強度を持つことが可能となる。熱圧着の方法は、熱プレスロール、熱風乾燥機、マイクロ波加熱機、赤外線ヒーター等、特に限られていないが、マット層に均一に熱が伝わり、熱融着性物質が融けて骨格構造を形成することが出来れば良い。
【００２４】
吸収体に用いる親水性シートは、例えば、ティシュ、吸収紙、親水性不織布等、親水性のシートであれば良い。
吸収体の圧縮方法として、周面が平滑なロールなどにより、吸収体の密度がその全体にわたり実質的に均等になるように連続する面状であってもよいし、周面が凹凸状であるロールなどにより、吸収体の密度が部分的に異なり、尿や体液を縦方向及び斜め方向に導く模様配列のエンボスであってもよい。エンボスの場合、圧縮部、非圧縮部は、連続、非連続のいずれであってもよい。
【００２５】
本発明における液不透過性裏面シートは、液不透過性のプラスティックフィルムのシートが好適に用いられ、更にこのシートの裏面側に液不透過性或いは液透過性の不織布或いは織布を配置することが好ましい。プラスティックフィルムとしては、例えばポリエチレン、ポリプロピレン、ポリビニルクロライド、またはこれらと同様の材料や、ポリビニルアルコールをベースとするフィルムのウェブまたはシートなどの材料から形成することができる。裏面シート材料は透明でも不透明でも良く、またエンボス加工した表面を有するようにすることもできる。また、ほぼ液不透過性になるようにつくられた不織布の繊維ウェブからつくることもできる。
【００２６】
また、前記フィルムシートに貼合する不織布或いは織布としては、坪量が１０〜４０ｇ／ｍ2で、通気性の不織布、織布等が用いられる。さらに、詳しくは、ポリプロピレン、ポリエチレン、ポリエステル、または、ポリエステル、ポリプロピレン、ポリエチレン等の２成分以上からなる複合繊維等でも良く、特には、低融点ポリエステル／ポリエステル、ポリエステル／ポリエチレン、ポリプロピレン／ポリエチレンの複合繊維が強度の面から好ましいが、特に制限をうけるものではない。
また、液不透過性処理を施した不織布或いは織布を単独で用いても良い。
【００２７】
【実施例】
以下、図面により、本発明の男性用尿パッドを詳細に説明するが、本発明はこれらに限定されるものではない。
【００２８】
図１は、本発明の男性用尿パッドの展開図である。図１において、矩形状に形成された男性用尿パッド１は、その矩形の１辺（図１の上辺）上の略中央部を起点として男性器導入部となる切り込み部位４が配置されている。該切り込み部位４は、男性用尿パッド１の上辺 a側より、下辺 a'に向かって配置され、さらに該切り込み部位は途中から２股に分岐して全体としてはＹ字型の切り込み部位を形成している。またＹ字型切り込み部位の起点位置は、矩形状尿パッドの長辺上の中央あるいは中央付近であると尿パットの装着組み立てが行ない易くなり好ましい。
【００２９】
また、吸収体２は、切り込み部位４が設けられた上辺部の中央付近に、矩形状にくりぬかれた一部くりぬき部分５が形成されており、前記のくりぬき部分５に切り込み部位４が配置されている。
【００３０】
図２は、本発明の男性用尿パッドを男性器に装着途中の斜視図である。図２において、男性器７が男性器導入部としての切り込み部位４にはさみ込まれた状態である。男性器７は男性用尿パッド１の上辺から配置されている切り込み部位４の切り込みに沿って、前記切り込みが２股に分岐する位置まで、簡便に導入することができる。
さらに、男性用尿パッド１の裏面シート側には尿パッド組み立て用固着部３が配置されている。ここで尿パッド組み立て用固着部３の大きさ、形状は特に規定されるものでなく、複数箇所に配置しても良い。さらにその固着手段としては、面ファスナーを用いても良いし、粘着剤を用いて使用時まで剥離紙で覆っている構造でも良く、尿パッドを組み立てたときにその形状を確実に維持できるものであれば良い。
【００３１】
図３は、図２における切り込み部位４の周辺部位及び男性器７の拡大図である。切り込み部位４はその切り込み形状が途中で二股に分岐しているＹ字型であるので、二股分岐点から尿パッド１の中央部側に位置する切り込みの終点８にかけて、Ｖ字型部９が形成される。男性器７を装着した状態において、このＶ字型部９が男性器７の下側に配置されることになるために、着用者が失禁した場合に、尿が男性器７に沿って流れて漏れることを防ぐことになる。
ここで、切り込み部位４の形状は、Ｙ字型でなくても良く、Ｖ字型部９の形状が、Ｕ字型、凹型等の形状でも良い。
【００３２】
図４は本発明の尿パッド１を組み立てた状態の斜視図である。図２の状態において、男性用尿パッド１の両側部を両側縁部がお互いに重なるように折り曲げて、漏斗状に形成し、右側に配置した男性用尿パッド組立用固着部３で固着することによりその形態を維持させる。また、左側に配置した尿パッド組み立て用固着部３は漏斗状に形成した尿パッドを下着等に固定するのに用いることが出来る。また、このような装着状態においては、外側面に位置する裏面シート６が不織布或いは織布であるために、裏面シート６に直接接触する陰嚢部がスキントラブルを発生する可能性が少ない。
【００３３】
【発明の効果】
以上説明したように本発明の男性用尿パッドは、装着が非常に簡便でしかも尿が漏れにくく、また、陰嚢にスキントラブルの発生を抑えることが可能となる。
【図面の簡単な説明】
【図１】本発明の男性用尿パッドの展開図。
【図２】男性器に装着途中の状態の本発明の男性用尿パッドの斜視図。
【図３】図２における男性器導入部周辺の拡大図。
【図４】男性器に装着するため組み立てた状態を示す本発明の男性用尿パッドの斜視図。
【符号の説明】
１．男性用尿パッド
２．吸収体
３．男性用尿パッド組み立て用固着部
４．切り込み部位
５．吸収体くりぬき部分
６．裏面シート
７．男性器
８．Ｙ字型切り込みの二股分岐側の終点
９．Ｖ字型部
【図１】
0004378834.tif 000002
【図２】
0004378834.tif 000003
【図３】
0004378834.tif 000004
【図４】
0004378834.tif 000005